(57)【要約】【課題】不正防止または不正検出に対する信頼性を向上させることができる遊技機を提供する。【解決手段】回路素子１０には、記憶回路と記憶回路に記憶されている情報に基づいて遊技機の動作を制御する主制御回路が設けられている。主制御基板２０には、回路素子１０を取り付けるためのソケット２１ａ、２１ｂが設けられている。回路素子１０と主制御基板２０との間には、回路素子１０のソケット２１ａ、２１ｂへの着脱状態を検出し、着脱状態に応じた信号を出力する検出要素３１ａが設けられている。判別回路３５は、検出要素３１ａの出力信号に基づいて回路素子１０がソケット２１ａ、２１ｂから取り外されたことを判別すると、判別回数を表示灯３６ａ〜３６ｄで報知する。着脱検出装置としては、回路素子１０に設けられている回路部材と共同する着脱検出装置を用いることもできる。【選択図】　　　　図１
2004081488.tif 000002
【特許請求の範囲】
【請求項１】
記憶回路と、記憶回路に記憶されている情報に基づいて遊技機の動作を制御する制御回路とを備える遊技機であって、
少なくとも記憶回路を有する回路素子と、
回路素子が着脱可能に構成されている支持基板と、
回路素子が支持基板から取り外されたことを検出する着脱検出装置と、
を備えている遊技機。
【請求項２】
請求項１に記載の遊技機であって、着脱検出装置は、回路素子と支持基板との間の距離に基づいて回路素子が支持基板から取り外されたことを検出する遊技機。
【請求項３】
請求項２に記載の遊技機であって、着脱検出装置は、回路素子と支持基板との間の距離を検出する距離検出装置を有し、距離検出装置は、回路素子が支持基板に取り付けられた時に回路素子と支持基板との間に配置される遊技機。
【請求項４】
請求項３に記載の遊技機であって、距離検出装置の周囲を覆う壁部材を備えている遊技機。
【請求項５】
請求項３または４に記載の遊技機であって、距離検出装置が支持基板に設けられている遊技機。
【請求項６】
記憶回路と、記憶回路に記憶されている情報に基づいて遊技機の動作を制御する制御回路とを備える遊技機であって、
少なくとも記憶回路を有する回路素子と、
回路素子が着脱可能に構成され、回路素子が取り付けられた時に回路素子に設けられている外部端子と接続可能な検出端子が設けられている支持基板と、
検出端子間の特性に基づいて、正規の回路素子が支持基板から取り外されたことを検出する着脱検出装置と、
を備えている遊技機。
【請求項７】
請求項１〜６のいずれかに記載の遊技機であって、回路素子が支持基板から取り外されたことを報知する報知装置を備えている遊技機。
【請求項８】
請求項７に記載の遊技機であって、回路素子が支持基板から取り外された回数を報知装置に報知する遊技機。
【発明の詳細な説明】
【０００１】
【発明の属する技術分野】
本発明は、パチンコ機等の遊技機に関する。
【０００２】
【従来の技術】
パチンコ機等の遊技機は、遊技機の動作を制御する情報が記憶されている記憶回路と、記憶回路に記憶されている情報に基づいて被制御機器を制御する制御回路を備えている。
例えば、パチンコ機では、大当たり判定用乱数を発生させる大当たり判定用乱数プログラム等の情報が記憶されている記憶回路と、入力信号や記憶回路に記憶されている情報等に基づいて、被制御機器を制御するための制御情報（制御信号あるいは制御信号を示すコマンド信号）を、被制御機器の駆動回路（例えば、大入賞口を開閉する開閉部材の駆動回路）や被制御機器の制御回路（例えば、図柄表示装置を制御する図柄制御回路、ランプを制御するランプ制御回路、スピーカを制御する音制御回路）等に出力する主制御回路を備えている。
主制御回路は、始動条件が成立する（例えば、遊技球が始動口に入賞または始動口を通過する）と抽選を行う（例えば、記憶回路に記憶されている大当たり判定用乱数プログラムを用いて発生させた大当たり判定用乱数を読み取り、読み取った大当たり判定用乱数が所定値と一致するか否かを判断する）。そして、抽選結果が当たりである場合（読み取った大当たり判定用乱数が所定値と一致する場合）には、大当たり演出を実行させるコマンド信号を図柄制御回路、ランプ制御回路、音制御回路に出力するとともに、遊技者に有利な特別遊技状態を発生させるためのコマンド信号を大入賞口の開閉部材の駆動回路等に出力する。
通常、主制御回路と記憶回路は主制御基板に、図柄制御回路は図柄制御基板に、ランプ制御回路はランプ制御基板に、音制御回路は音制御基板に設けられる。
【０００３】
ここで、記憶回路に記憶されている情報を検査することがある。このため、記憶回路と主制御回路を有する回路素子を設けるとともに、回路素子を主制御基板に着脱可能にソケット接続している。
このように、遊技機を制御するための情報が記憶されている記憶回路を有する回路素子が主制御基板に着脱可能に構成されていると、回路素子を、不正な記憶回路を有する不正回路素子に交換する不正が行われる可能性がある。
そこで、回路素子が取り付けられた（装着された）状態で主制御基板を収容ケースに収容し、収容ケースにカバー部材を取り付けた後に封印具により封印している。
これにより、カバー部材の開放を防止することができ、不正を防止することができる。また、カバー部材が開放された場合には、封印具が切断されるため、不正が行われたことを判別することができる。
【０００４】
【発明が解決しようとする課題】
前記した、封印具を用いる方法は、封印具を切断し、カバー部材を開放して不正を行った後、封印具を巧妙に直せば、不正が行われたことを判別するのが困難である。
そこで、カバー部材の開放を検出することによって不正を防止した遊技機が開発されている。例えば、特開平９−２１５８４１号公報には、収容ケースに取り付けられているカバー部材を開放する操作を行うと、収容ケースに収容されている制御基板の機能を破壊する遊技機が開示されている。また、特開平１０−１９２５１８号公報には、解錠操作可能な錠装置を用いてカバー部材を収容ケースに取り付け、錠装置の解錠操作回数が設定回数に達した時に錠装置を解錠不能とする遊技機が開示されている。
しかしながら、これらの従来技術は、カバー部材の開放操作を検出するものであるため、回路素子を不正に交換する不正に対する信頼性が低い。例えば、カバー部材を開放操作することなく回路素子が不正に交換された場合には、従来技術では不正を検出することができない。
そこで、本発明は、不正防止または不正検出に対する信頼性を向上させることができる遊技機を提供することを目的とする。
【０００５】
【課題を解決するための手段】
前記課題を解決するための本発明の第１発明は、請求項１に記載されたとおりの遊技機である。
請求項１に記載の遊技機では、記憶回路を有する回路素子が支持基板から取り外されたことを検出する着脱検出装置を備えている。通常、記憶回路に記憶されている情報の検査時以外には、回路素子は支持基板から取り外されることはない。すなわち、検査時以外で、回路素子が支持基板から取り外された場合には、不正が行われるかまたは不正が行われた可能性が非常に高い。したがって、回路素子が支持基板から取り外されたことを検出する着脱検出装置を設けることにより、不正防止または不正検出に対する信頼性を向上させることができる。
なお、「回路素子」には、半導体チップとしてのＲＯＭチップをモールド樹脂加工したＲＯＭＩＣや、ＲＯＭ内臓のＣＰＵチップをモールド樹脂加工したＣＰＵＩＣ、あるいは複数のＩＣや複数の半導体チップを基板上に配置接続してモールド樹脂加工したハイブリッドＩＣ等が含まれる。
また、本発明の第２発明は、請求項２に記載されたとおりの遊技機である。
請求項２に記載の遊技機では、着脱検出装置は、回路素子と支持基板との間の距離に基づいて回路素子が支持基板から取り外されたことを検出する。これにより、着脱検出装置を安価に構成することができる。
また、本発明の第３発明は、請求項３に記載されたとおりの遊技機である。
請求項３に記載の遊技機では、回路素子と支持基板との間の距離を検出する距離検出装置を回路素子と支持基板との間に設けている。これにより、回路素子が支持基板に取り付けられている状態では、距離検出装置が設けられていることを視認することが困難である。特に、回路素子が取り付けられた状態で支持基板を収容可能な収容ケースや収容ケースに取り付けられるカバー部材が、収容ケース内の要素を視認可能な程度の透明性を有している場合には、本発明を用いると特に有効である。距離検出装置としては、接触式や非接触式のものを用いることができる。
また、本発明の第４発明は、請求項４に記載されたとおりの遊技機である。
請求項４に記載の遊技機では、距離検出装置の周囲を覆う壁部材を備えている。これにより、距離検出装置の不正操作を防止することができる。
また、本発明の第５発明は、請求項５に記載されたとおりの遊技機である。
請求項５に記載の遊技機では、距離検出装置を支持基板に設けている。これにより、例えば、遊技プログラムの変更等のために回路素子を交換する際に距離検出装置を交換する必要がない。このため、回路素子の交換のためのコストを軽減することができる。
また、本発明の第６発明は、請求項６に記載されたとおりの遊技機である。
請求項６に記載の遊技機では、回路素子に設けられている外部端子と接続可能な検出端子が支持基板に設けられており、着脱検出装置は、検出端子間の特性に基づいて、正規の回路素子が支持基板から取り外されたことを検出する。これにより、不正防止または不正検出に対する信頼性を向上させることができる。
また、本発明の第７発明は、請求項７に記載されたとおりの遊技機である。
請求項７に記載の遊技機では、回路素子が支持基板から取り外されたことを報知装置により報知する。これにより、例えば、不正が行われたことを容易に判別することができる。
また、本発明の第８発明は、請求項８に記載されたとおりの遊技機である。
請求項８に記載の遊技機では、回路素子が支持基板から取り外された回数を報知手段で報知する。これにより、例えば、不正が行われた回数を容易に判別することができる。
【０００６】
【発明の実施の形態】
以下に、本発明の実施の形態を図面を参照して説明する。
図１、図２は、本発明の第１の実施の形態の構成及び動作を説明する図である。なお、図１は、回路素子１０が主制御基板２０に取り付けられた状態を回路素子１０側から見た図である。また、図２は、図１のＩＩ−ＩＩ線矢視図である。本実施の形態は、本発明をパチンコ機に適用したものである。
本実施の形態では、回路素子１０には、記憶回路及び記憶回路に記憶されている情報に基づいて遊技機の動作を制御する主制御回路が設けられているとともに、記憶回路や主制御回路を外部回路に接続するための外部端子が設けられている。記憶回路や主制御回路と外部端子は、配線パターン等の接続線によって接続されている。回路素子１０は、例えば、ＲＯＭ内臓のＣＰＵＩＣ、ＲＯＭ内臓のＣＰＵチップあるいはＲＯＭチップとＣＰＵチップを基板上に配置したハイブリッドＩＣ等として構成することができる。
【０００７】
主制御基板２０には、回路素子１０が着脱可能なソケット（接続部）２１ａ、２１ｂが設けられている。ソケット２１ａ、２１ｂには、回路素子１０の取り付けを容易にするための案内部材を設けるのが好ましい。図２では、ソケット２１ａ、２１ｂの先端部に、回路素子１０を位置決めするための段差部が設けられている。
また、ソケット２１ａ、２１ｂには、回路素子１０が取り付けられた時に、回路素子１０の外部端子と接続可能な接続端子が設けられている。ソケット２１ａ、２１ｂに設けられている接続端子は、主制御基板２０に設けられている配線パターン等の接続線に接続されている。これにより、主制御回路への入力信号の入力や、主制御回路から図柄制御回路、ランプ制御回路、音制御回路、大入賞口の開閉部材の駆動回路等への出力が可能となる。
【０００８】
通常、主制御基板２０を収容可能な収容ケースが設けられる。そして、回路素子１０を主制御基板２０（主制御基板２０のソケット２１ａ、２１ｂ）に取り付けた状態で、収容ケースの開口部にカバー部材をビス等によって取り付けた後、封印具によりカバー部材を封印している。例えば、カバー部材に封印シールを貼り付ける。
収容ケースは、例えば、底部（図１の紙面裏側、図２の下側の部分）が遊技盤の裏面に取り付けられ、カバー部材が取り付けられる開口部が遊技盤の裏面と対向する側（図１では紙面表側、図２では上側の部分）に配置される。
【０００９】
また、回路素子１０が主制御基板２０（詳しくは、ソケット２１ａ、２１ｂ）から取り外されたことを検出する着脱検出装置（着脱検出手段）が設けられている。
本実施の形態では、着脱検出装置は、検出要素（検出手段）３１ａと判別回路（判別手段）３５により構成されている。検出要素３１ａは、回路素子１０と主制御基板２０との間の距離を検出して距離検出信号を出力する。判別回路３５は、検出要素３１ａから出力される距離検出信号に基づいて、回路素子１０が主制御基板２０から取り外されたことを判別し、取外し検出信号を出力する。
検出要素３１ａと判別回路３５は、主制御基板２０に設けられている。
なお、判別回路３５は主制御基板２０の外部に設けてもよい。また、検出要素３１ａに判別回路３５の機能を持たせてもよい。
【００１０】
本実施の形態では、検出要素３１ａとして、図２に示すように、本体部３２ａと可動部３３ａを有する接触式のスイッチを用いている。
回路素子１０が主制御基板２０のソケット２１ａ、２１ｂに取り付けられていない時には、可動部３３ａがバネ等の付勢部材によって本体部３２ａから離間する方向に移動するため、検出要素３１ａは出力信号をオフ状態とする。一方、回路素子１０がソケット２１ａ、２１ｂに取り付けられている時には、可動部３３ａが回路素子１０により本体部３２ａに接近する方向に押圧されるため、検出要素３１ａは出力信号をオン状態とする。
判別回路３５は、検出要素３１ａの出力信号がオン状態からオフ状態に変化したことによって、回路素子１０が主制御基板２０（主制御基板２０のソケット２１ａ、２１ｂ）から取り外されたことを判別し、取外し検出信号を出力する。
【００１１】
検出要素３１ａは、外部からの視認が困難な位置に設けるのが好ましい。特に、収容ケースやカバー部材が、収容ケースに収容されている各要素を判別できる程度の透過性を有している場合には、回路素子１０が取り付けられた状態で主制御基板２０が収容ケースに収容されている時に、収容ケースやカバー部材の外部から検出要素３１ａを視認することが困難な位置に設けるのが好ましい。通常、カバー部材が遊技盤の裏面に対向する側に配置されるため、収容ケースに取り付けられたカバー部材側（図１の紙面表側、図２の上側）から検出要素３１ａの視認が困難であればよい。
本実施の形態では、検出要素３１ａを、回路素子１０と主制御基板２０との間で、カバー部材側から見て回路素子１０の後ろに隠れる位置に設けている。
勿論、図１に示す検出要素３１ｂのように、収容ケースやカバー部材の外部から視認でいる位置に設けてもよい。
【００１２】
さらに、回路素子１０が主制御基板２０から取り外された回数を報知する報知装置３６が設けられている。本実施の形態では、報知装置３６として、ＬＥＤ等の表示灯３６ａ〜３６ｄを用いている。
判別回路３５は、回路素子１０が主制御基板２０から取り外された回数に応じて表示灯３６ａ〜３６ｄを制御する。例えば、１回目の取外し検出信号によって表示灯３６ａ、２回目の取外し検出信号によって表示等３６ｂ、３回目の取外し検出信号によって表示灯３６ｃ、４回目の取外し検出信号によって表示灯３６ｄを順次点灯させる。この場合、表示灯３６ａ〜３６ｄが点灯することによって、回路素子１０が主制御基板２０から取り外された回数が１回、２回、３回、４回であることを容易に判別することができる。
【００１３】
なお、判別回路３５や報知装置３６の電源装置としては、停電等によって遊技機への電源の供給が遮断された場合にも独立して作動可能な電源装置を用いるのが好ましい。例えば、遊技機に電源が供給されている時には、遊技機への電源を所定電圧の電源に変換して判別回路３５や報知装置３６に供給するとともに、コンデンサやバッテリ等により構成される蓄電回路に電源を供給し、遊技機への電源が遮断された時には、蓄電回路から判別回路３５や報知装置３６に供給する電源装置を用いる。このような電源装置を用いると、バッテリ等の蓄電回路を取り外して充電する必要がない。
また、判別回路３５や報知装置３６をパチンコ機の枠側に設ければ、遊技盤を交換する際に判別回路３５や報知装置３６を交換する必要がない。
また、報知装置３６は、スピーカ等の音発生要素、液晶表示装置等の表示装置等により構成することができる。報知方法は、使用する報知装置３９に応じて適宜変更される。
【００１４】
本実施の形態では、回路素子１０が本発明の「回路素子」に対応し、回路素子１０に設けられている「記憶回路」及び「主制御回路」が本発明の「記憶回路」及び「制御回路」に対応し、主制御基板２０が本発明の「支持基板」に対応し、検出要素３１ａ（３１ｂ）が本発明の「距離検出装置」に対応し、検出要素３１ａと判別回路３５によって構成される着脱検出装置が本発明の「着脱検出装置」に対応し、表示灯３６ａ〜３６ｄにより構成される報知回路３６が本発明の「報知装置」に対応する。
【００１５】
次に、本実施の形態の動作を説明する。
回路素子１０が主制御基板２０のソケット２１ａ、２１ｂに取り付けられていない時には（図２の点線で示す状態）、検出要素３１ａの出力信号はオフ状態にある。
この状態で、回路素子１０が主制御基板２０のソケット２１ａ、２１ｂに取り付けられると（図２の実線で示す状態）、検出要素３１ａの可動部３３ａが本体部３２ａに接近する方向に移動するため、検出要素３１ａの出力信号はオン状態となる。
この状態で、回路素子１０が主制御基板２０のソケット２１ａ、２１ｂから取り外されると、検出要素３１ａの可動部３３ａが、バネ等の付勢部材による付勢力によって本体部３２ａから離間する方向に移動するため、検出要素３１ａの出力信号はオン状態からオフ状態に変化する。
判別回路３５は、検出要素３１ａの出力信号がオン状態からオフ状態に変化すると、回路素子１０が主制御基板２０のソケット２１ａ、２１ｂから取り外されたことを判別し、取外し検出信号を出力する。この場合、判別回路３５から出力される取外し検出信号が１回目であるため、表示灯３６ａが点灯する。
遊技店の係員等は、表示灯３６ａが点灯されたことにより、回路素子１０が主制御基板２０から不正に取り外されたことを容易に判別することができる。
以後、回路素子１０が主制御基板２０から取り外される毎に、表示灯３６ｂ〜３６ｄが順に点灯する。
なお、検査のために回路素子１０を主制御基板２０から取り外した時にも表示等３６ａ〜３６ｄが点灯するが、検査目的であることが分かっているため、表示灯３６ａ〜３６ｄが点灯しても問題はない。
【００１６】
本実施の形態では、回路素子１０が主制御基板２０から取り外されたことを検出するため、不正が行われる可能性が高い状態または不正が行われた可能性が高い状態を検出することができる。例えば、カバー部材が開放されることなく回路素子１０が主制御基板２０から取り外された場合でも不正を検出することができる。このため、不正防止または不正検出の信頼性が向上する。
また、回路素子１０が主制御基板２０から取り外されたことを報知装置３６で報知するため、不正が行われる可能性が高いことまたは不正が行われた可能性が高いことを容易に判別することができる。
さらに、着脱検出装置を構成する検出要素３１ａを回路素子１０と主制御基板２０との間に設けているため、検出要素３１ａが設けられていることを、例えば、主制御基板２０を収容する収容ケースやカバー部材の外部から視認することが困難である。このため、不正防止または不正検出の信頼性がより向上する。
【００１７】
なお、本実施の形態では、回路素子１０と主制御回基板２０の間の距離を検出する検出要素３１ａ（３１ｂ）として接触式のスイッチを用いたが、検出要素としては、他の構成の接触式の検出要素や、電波、光、音波等を用いた非接触式の検出要素を用いることもできる。
さらに、判別回路３５の構成は、使用する検出要素に応じて適宜変更される。例えば、検出要素３１ａが回路素子１０と主制御基板２０との間の距離に比例する距離検出信号を出力する場合には、判別回路３５は、検出要素３１ａからの距離検出信号で示される距離が、回路素子１０が主制御基板２０から取り外されたものとみなすことができる設定距離以上である時に取外し検出信号を出力するように構成する。
また、表示灯の数や、制御方法は種々変更可能である。例えば、最初の電源供給時に全ての表示灯を点灯させ、回路素子１０が主制御基板２０から取り外される毎に表示灯を１つずつ消灯させる方法を用いることができる。この制御方法を用いると、回路素子１０が主制御基板２０から取り外されたことや取り外され田回数を判別することができるとともに、判別回路３５が作動していないことを判別することができる。
また、検出要素３１ａは、複数個設けてもよい。検出要素３１ａを複数個設ける場合には、例えば、全ての検出要素３１ａの出力信号またはいずれか１つの検出要素３１ａの出力信号が、回路素子１０が主制御基板２０から取り外されたことを示している場合に取外し検出信号を出力するように構成する。
また、検出要素３１ａは、回路素子１０が主制御基板２０から取り外されたことを検出することができればよく、回路素子１０と主制御基板２０との間の距離を検出するものに限定されない。
また、回路素子１０を主制御基板２０に取り付ける方法として種々の方法を用いることができ、検出要素３１や判別回路３５の構成は取り付け方法に応じて種々変更可能である。
また、検出要素３１ａは、主制御基板２０に設けてもよいし、回路素子１０に設けてもよい。
【００１８】
第１の実施の形態では、検出要素を回路素子と制御基板との間に設けているため、検出要素が設けられていることを収容ケースやカバー部材の外部から視認するのが困難である。
しかしながら、制御基板２０のソケット２１ａ、２１ｂが設けられていない部分では回路素子１０と制御基板２０との間に隙間が存在し、この隙間から検出要素３１ａを不正に操作される可能性がある。
そこで、検出要素の不正操作を防止することができる、本発明の第２の実施の形態の構成と動作を図３、図４に示す。なお、図３は、回路素子１０が制御基板２０に取り付けられている状態を回路素子側から見た図である。また、図４は、図３のＩＶ−ＩＶ線矢視図である。
本実施の形態では、回路素子１０が主制御基板２０のソケット２１ａ、２１ｂに取り付けられた時、回路素子１０と主制御基板２０との間に隙間が形成されないように、検出要素３１の周囲を覆う壁部材２２ａ、２２ｂが設けられている。壁部材２２ａ、２２ｂは、主制御基板２０に設けてもよいし、回路素子１０に設けてもよい。また、壁部材２２ａ、２２ｂの形状や配置位置は種々変更可能である。
このように、回路素子１０が主制御基板２０のソケット２１ａ、２１ｂに取り付けられた時に、検出要素３１の周囲がソケット２１ａ、２１ｂ、壁部材２２ａ、２２ｂ覆われるため、検出要素３１を不正に操作するのが困難である。これにより、検出要素３１を不正操作しながら回路素子１０を主制御基板２０から取り外すのが困難となり、不正防止または不正検出に対する信頼性がより向上する。
【００１９】
第１及び第２の実施の形態では、回路素子と主制御基板との着脱状態によって不正防止または不正検出に対する信頼性を向上させたが、回路素子に設けられている回路部材を用いて不正防止または不正検出の信頼性を向上させることもできる。
回路素子に設けられている回路部材を用いて不正防止または不正検出の信頼性を向上させた第３〜第５の実施の形態を図５〜図７に示す。
【００２０】
第３の実施の形態では、正規の回路板４０には、図５に示すように、記憶回路及び主制御回路を有する半導体チップ（例えば、ＲＯＭ内蔵ＣＰＵチップ）４１、主制御回路等を外部と接続するための外部端子４２ａ〜４２ｄが設けられている。外部端子４２ａ〜４２ｄと主制御回路等とは、配線パターン等の接続線４３ａ〜４３ｄによって接続されている。
回路素子４０には、さらに、検出用の外部端子４２ｅ及び４２ｆが設けられ、検出用の外部端子４２ｅと４２ｆとの間には検出用の回路部材が設けられている。本実施の形態では、検出用の回路部材として、検出用の外部端子４２ｅと４２ｆとの間に配線パターン等の検出用接続線４３ｅが設けられている。
一方、主制御基板４０のソケット２１ａ、２１ｂには、回路素子４０が取り付けられた時に、回路素子４０の外部端子４２ａ〜４２ｄと接続可能な接続端子と、回路素子４０の検出用の外部端子４２ｅ、４２ｆと接続可能な検出端子５１ａ、５１ｂが設けられている。
【００２１】
検出端子５１ａ、５１ｂには、着脱検出装置５０が接続されている。
着脱検出装置５０は、検出端子５１ａを介して回路素子４０の検出用の外部端子４２ｅに所定電圧の電源を供給する電源と、回路素子４０の検出用の外部端子４２ｆから出力される電流を検出端子５１ｂを介して入力する検出回路５２により構成されている。
検出回路５２は、比較器５２ａ、基準電圧源５２ｂ、検出端子５１ｂに入力された電流（検出電流）を電圧（検出電圧）に変換する抵抗５２ｃを有している。抵抗５２ｃからの検出電圧は比較器５２ａの非反転入力端子に入力され、基準電圧源５２ｂからの基準電圧は比較器５２ａの反転入力端子に入力される。
【００２２】
本実施の形態では、検出端子５１ａから出力する電源の電圧、接続線４３ｅの抵抗値、抵抗５２ｃの抵抗値、基準電圧源５２ｂの基準電圧は、正規の回路素子４０が主制御基板２０のソケット２１ａ、２１ｂに取り付けられた時に、比較器５２ａの非反転入力端子の入力電圧が反転入力端子の入力電圧より大きくなるように設定されている。
このため、検出用の外部端子４２ｅと４２ｆとの間に接続線４３ｅが設けられている正規の回路素子４０が主制御基板２０のソケット２１ａ、２１ｂに取り付けられている時には、比較器５２ａから正レベルの信号が出力される。
比較器５２ａから正レベルの信号が出力された場合には、正規の回路素子４０が主制御基板２０のソケット２１ａ、２１ｂに取り付けられていることが判別される。
一方、正規の回路素子４０が主制御基板２０のソケット２１ａ、２１ｂに取り付けられていない場合、または、検出用の外部端子４２ｅ、４２ｆが設けられていない不正回路素子や検出用の外部端子４２ｅと４２ｆとの間に接続線４３ｅが設けられていない不正回路素子が主制御基板２０のソケット２１ａ、２１ｂに取り付けられた場合には、比較器５２ａの非反転入力端子の入力電圧が低下し、反転入力端子の入力電圧が非反転入力端子の入力電圧より大きくなるため、比較器５２ａから負レベルの信号が出力される。
比較器５２ａから負レベルの信号が出力された場合には、正規の回路素子４０が主制御基板２０のソケット２１ａ、２１ｂから取り外されていることが判別され、報知装置によって報知される。
本実施の形態は、着脱検出装置５０の検出端子５１ａと５１ｂとの間のインピーダンスが大きい（例えば、検出端子５１ａと５１ｂとの間が開放されている）場合に、正規の回路素子４０が主制御基板２０から取り外されていることを判別する場合に適している。
【００２３】
第４の実施の形態では、正規の回路素子６０には、図６に示すように、検出用の外部端子６２ｅと６２ｆとの間に抵抗６４が接続されている。
第３の実施の形態と同様に、主制御基板２０のソケット２１ａ、２１ｂには、回路素子６０が取り付けられた時に、回路素子６０の検出用の外部端子６２ｅ、６２ｆと接続可能な検出端子７１ａ、７１ｂが設けられている。
検出端子７１ａ、７１ｂに接続される着脱検出装置７０は、第３の実施の形態の着脱検出装置５０と同様の構成を有している。着脱検出装置５０と７０の、十の位の数字を除く符合が同じものは同じ構成要素を示している。
【００２４】
本実施の形態では、検出端子７１ａから出力する電源の電圧、抵抗６４、７２ｃの抵抗値、基準電圧源７２ｂの基準電圧は、正規の回路素子６０が主制御基板２０のソケット２１ａ、２１ｂに取り付けられている時に、比較器７２ａの反転入力端子の入力電圧が非反転入力端子の入力電圧より大きくなるように設定されている。
このため、検出用の外部端子６２ｅと６２ｆとの間に抵抗６４が接続されている正規の回路素子６０が主制御基板２０のソケット２１ａ、２１ｂに取り付けられている時には、比較器７２ａから負レベルの信号が出力される。
比較器７２ａから負レベルの信号が出力される場合には、正規の回路素子６０が主制御基板２０のソケット２１ａ、２２１ｂに取り付けられていることが判別される。
一方、正規の回路素子６０が主制御基板２０のソケット２１ａ、２１ｂに取り付けられていない場合、または、検出用の外部端子６２ｅと６２ｆとの間が接続線で接続されている（短絡されている）不正回路素子が主制御基板２０のソケット２１ａ、２１ｂに取り付けられている場合、または、検出端子７１ａと７１ｂが接続線で接続されている（短絡されている）場合には、比較器７２ａの非反転入力端子の入力電圧が反転入力端子の入力電圧より大きくなるため、比較器７２ａから正レベルの信号が出力される。
比較器７２ａから正レベルの信号が出力される場合には、正規の回路素子６０が主制御基板２０のソケット２１ａ、２１ｂから取り外されていることが判別され、報知回路によって報知される。
本実施の形態は、着脱検出装置７０の検出端子７１ａと７１ｂの間のインピーダンスが小さい（例えば、検出端子７１ａと７１ｂとの間が短絡されている）場合に、正規の回路素子６０が主制御基板２０から取り外されていることを判別する場合に適している。
【００２５】
第５の実施の形態では、正規の回路素子８０には、図７に示すように、検出用の外部端子８２ｅと８２ｆとの間に、所定のインピーダンスを有する回路部材８４を構成する抵抗８４ａとコンデンサ８４ｂが接続されている。
本実施の形態では、第１の実施の形態と同様に、主制御基板２０のソケット２１ａ、２１ｂには、回路素子８０が取り付けられた時に、回路素子８０の検出用の外部端子８２ｅ、８２ｆと接続可能な検出端子９１ａ、９１ｂが設けられている。
外部端子９１ａ、９１ｂに接続される着脱検出装置９０は、パルス発生回路（パルス発生手段）９３、波形整形回路（波形整形手段）９４、位相比較回路（位相比較手段）９５により構成されている。
パルス発生回路９３は、検出端子９１ａを介して回路素子８０の検出用の外部端子８２ｅにパルスを供給する。波形整形回路９４は、回路素子８０の検出用の外部端子８２ｆから出力された信号を検出端子９１ｂを介して入力し、パルスに波形整形する。
位相比較回路９５は、パルス発生回路９３から出力されたパルスと波形整形回路９４で波形整形されたパルスの位相差が、正規の回路素子８０に設けられている回路部材８４のインピーダンス等に基づいて決定される所定範囲内であるか否かを判別する。そして、位相差が所定範囲内である場合には、正規の回路素子８０が主制御基板２０のソケット２１ａ、２１ｂに取り付けられていることを判別する。一方、位相差が所定範囲内でない場合には、正規の回路素子８０が主制御基板２０のソケット２１ａ、２１ｂから取り外されていることを判別し、報知回路を用いて報知する。
【００２６】
以上のように、第３〜第５の実施の形態では、正規の回路素子に検出用の回路部材を設け、回路素子に設けられている回路部材の特性に基づいて、正規の回路素子が主制御基板から取り外されていることを検出する着脱検出装置を用いている。すなわち、回路素子に所定の回路部材が設けられていない限り正規の回路素子が主制御基板から取り外されていることを判別する。
このため、正規の回路素子が主制御基板から取り外されたことを正確に検出することができ、不正防止及び不正検出に対する信頼性を向上させることができる。
なお、回路素子に設ける回路部材は、検出端子間に回路部材が接続されている場合の検出端子間の特性と、検出端子間に回路部材が接続されていない場合の検出端子間の特性を判別可能であればよく、実施の形態で説明した回路部材に限定されない。
また、検出用の回路部材と共同する着脱検出装置は、検出端子間の特性を検出することができればよく、実施の形態で説明した構成に限定されない。さらに、回路素子に設けられる回路部材に応じて適宜変更される。
また、第３〜第５の実施の形態では、回路部材を構成する抵抗やコンデンサ等をＲＯＭ内臓のＣＰＵチップとは別に設けた、いわゆるハイブリッドＩＣとして回路素子を構成したが、半導体のもつ抵抗特性や容量特性を利用して１チップのＩＣとして回路素子を構成することもできる。
【００２７】
本発明は実施の形態で説明した構成に限定されず、種々の変更、追加、削除が可能である。
例えば、パチンコ機について説明したが、本発明はパチンコ以外の種々の遊技機に適用することができる。
また、回路素子が制御基板から取り外されたことを報知する報知装置としては、表示灯に限定されず、スピーカ等の音発生手段、液晶表示装置等の表示手段等を用いることができる。
また、回路素子が制御基板から取り外されたことを報知装置で報知する方法としては種々の方法を用いることができる。
また、回路素子が制御基板に設けられる場合について説明したが、記憶回路板を制御基板以外の種々の基板に設けてもよい。
また、制御装置を回路素子に設ける場合について説明したが、本発明は、制御装置を制御基板に設ける場合にも適用することができる。この場合には、回路素子は、例えば、記憶回路を有するＲＯＭＩＣとして構成される。
【００２８】
【発明の効果】
以上説明したように、請求項１〜請求項８に記載の遊技機を用いれば、不正防止または不正検出に対する信頼性を向上させることができる。
【図面の簡単な説明】
【図１】本発明の第１の形態の構成及び動作を説明する図である。
【図２】図１のＩＩ−ＩＩ線矢視図である。
【図３】本発明の第２の形態の構成及び動作を説明する図である。
【図４】図３のＩＶ−ＩＶ線矢視図である。
【図５】本発明の第３の形態の構成及び動作を説明する図である。
【図６】本発明の第４の形態の構成及び動作を説明する図である。
【図７】本発明の第５の形態の構成及び動作を説明する図である。
【符号の説明】
１０、４０、６０、８０　回路素子
２０　主制御基板（制御基板）
２１ａ、２１ｂ　ソケット（接続部）
２２ａ、２２ｂ　壁部材
３１、３１ａ、３１ｂ　検出要素（検出手段）
３２ａ　本体部
３３ａ　可動部
３５　判別回路（判別手段）
３６　報知手段
３６ａ〜３６ｄ　ランプ（表示灯）
４１　記憶回路（記憶手段）
４２ａ〜４２ｆ、６２ｅ、６２ｆ、８２ｅ、８２ｆ　端子
４３ａ〜４３ｅ　接続線（配線パターン）
５０、７０、９０　検出回路（検出手段）
６４、　抵抗
８４　インピーダンス回路
９３　パルス発生回路（パルス発生手段）
９４　波形整形回路（波形整形手段）
９５　位相比較回路（位相比較手段）
【図１】
2004081488.tif 000003
【図２】
2004081488.tif 000004
【図３】
2004081488.tif 000005
【図４】
2004081488.tif 000006
【図５】
2004081488.tif 000007
【図６】
2004081488.tif 000008
【図７】
2004081488.tif 000009